(57)【要約】      （修正有）【課題】写真に広告などの情報を付加する方法において、写真がプリントされてからも長期にわたって個人情報とマッチングを図ることが可能な広告などの情報付加方法を提供する。【解決手段】撮影した画像１に広告等情報２を付加する方法で、該画像の提供者乃至は被提供者の個人情報５と前記広告等情報の情報主の要望情報との少なくとも一つの情報に基づいて前記広告等情報を選択し、前記提供者乃至は被提供者のホームページ４にアクセス可能な二次元情報３を前記画像に記録させ、前記個人情報が変化した時に前記個人情報を書き換えることで、前記ホームページにアクセスした時に、前記個人情報に基づいた広告等情報を閲覧可能にする。【選択図】図１
2008216701.tif 000002
【特許請求の範囲】
【請求項１】
撮影した画像に広告等情報を付加する方法で、該画像の提供者乃至は被提供者の個人情報と前記広告等情報の情報主の要望情報との少なくとも一つの情報に基づいて前記広告等情報を選択するステップと、前記提供者乃至は被提供者のホームページにアクセス可能な二次元コードを含むコード情報を前記画像に付加するステップと、前記個人情報を前記ホームページに記録するステップと、前記個人情報が変化した時に前記個人情報を書き換えるステップと、前記ホームページにアクセスした時に、前記個人情報に基づいた広告等情報を閲覧可能に表示するステップとを備えた画像に広告等情報を付加する方法。
【請求項２】
撮影した画像に広告等情報を付加する方法で、該画像の提供者乃至は被提供者の個人情報と前記画像の種類を分類した画像分類情報と、前記広告等情報の情報主の要望情報との少なくとも一つの情報に基づいて前記広告等情報を選択するステップと、前記選択した前記広告等情報を前記画像に付加するステップと、前記提供者乃至は被提供者のホームページにアクセス可能な二次元コードを含むコード情報を前記画像に付加するステップと、前記個人情報を前記ホームページに記録するステップと、前記個人情報乃至は前記画像分類情報が変化した時に前記個人情報乃至は前記画像分類情報を書き換えるステップと、前記ホームページにアクセスした時に、前記変化した個人情報乃至は画像情報に基づいた広告等情報を閲覧可能に表示するステップとを備えた画像に広告等情報を付加する方法。
【請求項３】
撮影した画像に広告等情報を付加する装置で、該画像の提供者乃至は被提供者の個人情報と、前記広告等情報の情報主の要望情報を取得する取得手段と、前記取得した前記情報の少なくとも一つの情報に基づいて前記広告等情報を選択する選択手段と、前記選択した前記広告等情報を前記画像に付加する第１の付加手段と、前記提供者乃至は被提供者のホームページにアクセス可能な二次元コードを含むコード情報を前記画像に記録する第２の付加手段と、前記個人情報を前記ホームページに記録する第１の記録手段と、前記個人情報が変化した時に前記個人情報を書き換える書換手段と、前記ホームページにアクセスした時に、前記個人情報に基づいた広告等情報を閲覧可能に表示する表示手段とを備えた画像に広告等情報を付加する装置。
【請求項４】
撮影した画像に広告等情報を付加する装置で、該画像の提供者乃至は被提供者の個人情報と、前記画像の種類を分類した画像分類情報と、前記広告等情報の情報主の要望情報とを取得する取得手段と、前記取得した前記情報の少なくとも一つの情報に基づいて前記広告等情報を選択する選択手段と、前記選択した前記広告等情報を前記画像に付加する第１の付加手段と、前記提供者乃至は被提供者のホームページにアクセス可能な二次元コードを含むコード情報を前記画像に付加する第２の付加手段と、前記個人情報を前記ホームページに記録する記録手段と、前記個人情報乃至は前記画像分類情報が変化した時に前記記録された個人情報乃至は前記画像分類情報を書き換える書換手段と、前記ホームページにアクセスした時に、前記変化した個人情報乃至は画像分類情報に基づいた広告等情報を閲覧可能に表示する表示手段とを備えた画像に広告等情報を付加する装置。
【請求項５】
前記ホームページは、画像管理元のホームページを介した提供者乃至は被提供者のホームページである請求項１、２に記載の広告等情報を付加する方法。
【請求項６】
前記ホームページは、画像管理元のホームページを介した提供者乃至は被提供者のホームページである請求項３、４に記載の広告等情報を付加する装置。
【発明の詳細な説明】
【技術分野】
【０００１】
本発明は、画像に広告等情報を付加する方法及び広告等情報を付加する装置に関する。
【背景技術】
【０００２】
画像に広告等情報を付加して広告等情報を付加する広告主が画像のプリント代の少なくとも一部を負担するビジネスが既に行われている。またその広告を選択するポイントとして画像に対して撮影者の個人情報に応じた広告を付加することは例えば文献１に示すように撮影者がプリント依頼時にアンケート用紙に記載した撮影者情報に基づいて複数の広告を記憶するデータベースから適合する広告を選択し、写真プリントに付加し、広告主が写真プリントに関する費用を少なくとも一部負担する広告付写真プリントは知られている。
【０００３】
【特許文献１】特開２００４−１７７７２７
【発明の開示】
【発明が解決しようとする課題】
【０００４】
最近の写真はプリントの品質もよく、長く品質を保ち、例えば何年プリントという言葉もあるようにプリントメーカーは日光が当たっても退色しないプリントを作ることに努力しており、写真は半永久的に高品質を保っている。しかしながら、撮影者または観察者の個人情報に基づいて広告を選択し、それに適した広告を付加する場合に、写真の品質が長持ちする時代においても、広告と個人情報のマッチングが個人情報の変化した際に、、例えば引越し等の場合は、広告の情報が適した情報ではなくなってしまう問題があった。
【０００５】
本発明は、このような従来の構成が有していた問題を解決しようとするものであり、写真がプリントされてからも長期にわたって個人情報とマッチングを図ることを目的とする。
【課題を解決するための手段】
【０００６】
本発明の請求項１は、撮影した画像に広告等情報を付加する方法で、該画像の提供者乃至は被提供者の個人情報と前記広告等情報の情報主の要望情報との少なくとも一つの情報に基づいて前記広告等情報を選択するステップと、前記提供者乃至は被提供者のホームページにアクセス可能な二次元情報を前記画像に記録するステップと、前記個人情報を前記ホームページに記録するステップと、前記個人情報が変化した時に前記個人情報を書き換えるステップと、前記ホームページにアクセスした時に、前記個人情報に基づいた広告等情報を閲覧可能に表示するステップとを備えた画像に広告等情報を付加する方法を提供することにある。
【０００７】
本発明の請求項２は、撮影した画像に広告等情報を付加する方法で、該画像の提供者乃至は被提供者の個人情報と前記画像の種類を分類した画像分類情報と、前記広告等情報の情報主の要望情報との少なくとも一つの情報に基づいて前記広告等情報を選択するステップと、前記選択した前記広告等情報を前記画像に付加するステップと、前記提供者乃至は被提供者のホームページにアクセス可能な二次元情報を前記画像に付加するステップと、前記個人情報を前記ホームページに記録するステップと、前記個人情報が変化した時に前記個人情報を書き換えるステップと、前記ホームページにアクセスした時に、前記個人情報に基づいた広告等情報を閲覧可能に表示するステップとを備えた画像に広告等情報を付加する方法を提供することにある。
【０００８】
本発明の請求項３は、撮影した画像に広告等情報を付加する装置で、該画像の提供者乃至は被提供者の個人情報と、前記広告等情報の情報主の要望情報を取得する取得手段と、前記取得した前記情報の少なくとも一つの情報に基づいて前記広告等情報を選択する選択手段と、前記選択した前記広告等情報を前記画像に付加する第１の付加手段と、前記提供者乃至は被提供者のホームページにアクセス可能な二次元コードを含むコード情報を前記画像に記録する第２の付加手段と、前記個人情報を前記ホームページに記録する第１の記録手段と、前記個人情報が変化した時に前記個人情報を書き換える書換手段と、前記ホームページにアクセスした時に、前記個人情報に基づいた広告等情報を閲覧可能に表示する表示手段とを備えた画像に広告等情報を付加する装置を提供することにある。
【０００９】
本発明の請求項４は、撮影した画像に広告等情報を付加する装置で、該画像の提供者乃至は被提供者の個人情報と、前記画像の種類を分類した画像分類情報と、前記広告等情報の情報主の要望情報とを取得する取得手段と、前記取得した前記情報の少なくとも一つの情報に基づいて前記広告等情報を選択する選択手段と、前記選択した前記広告等情報を前記画像に付加する第１の付加手段と、前記提供者乃至は被提供者のホームページにアクセス可能な二次元コードを含むコード情報を前記画像に付加する第２の付加手段と、前記個人情報を前記ホームページに記録する記録手段と、前記個人情報乃至は前記画像分類情報が変化した時に前記記録された個人情報乃至は前記画像分類情報を書き換える書換手段と、前記ホームページにアクセスした時に、前記変化した個人情報乃至は画像分類情報に基づいた広告等情報を閲覧可能に表示する表示手段とを備えた画像に広告等情報を付加する装置を提供することにある。
【００１０】
請求項５は請求項１、２に従属し、前記ホームページは、画像管理元のホームページを介した提供者乃至は被提供者のホームページである広告等情報を付加する方法を提供するものである。
【００１１】
請求項６は請求項３、４に従属し、前記ホームページは、画像管理元のホームページを介した提供者乃至は被提供者のホームページである広告等情報を付加する装置を提供するものである。
【発明の効果】
【００１２】
上述したように、広告等情報を画像に付加する場合に、その画像に付加する広告等情報は個人情報乃至は画像分類情報が変化しても、前記情報の変化に応じて広告等情報を提供できるので、広告等情報元が画像のプリント代を負担しても効果が持続する効果を有する。
【発明を実施するための最良の形態】
【００１３】
図１は本発明のブロック図を示し、図２はフローチャートを示す。
画像１に広告等情報２を付加し、さらに画像の提供者乃至は被提供者のホームページにアクセスする二次元コード３を付加した状態を示す。４は二次元コードにアクセスし、インターネット通信により、画像提供者乃至は被提供者が開放するホームページを示す。ホームページ４には個人情報を記憶する個人情報記憶部５、情報元要望情報を記憶する情報元要望情報記憶部６、画像分類情報を記憶する画像分類情報記憶部７を有する。８は情報元ホームページにアクセスするための情報元ホームページ記憶部である。また、図１は、個人情報記憶部５、情報元要望情報６、画像分類情報記憶部７、情報元ホームページ記憶部８は、一つのサーバに設置されているが、各々インターネットで接続されても良い。
【００１４】
図２でＳ１で示すように個人情報記憶部５から読み出した画像提供者乃至は被提供者の個人情報、情報元要望情報記憶部６から読み出した情報元要望情報、画像分類情報記憶部７から読み出した画像分類情報のいずれかに基づいて広告等情報を選択し（Ｓ２）、選択した広告等情報をＳ３で示すように画像１に付加する。また、ここでは画像提供者の個人情報と情報元の要望情報の他に画像分類情報を加えて広告等情報を選択しているが、画像分類情報を画像自体から選ぶのは困難であり、あらかじめ画像をみて画像提供者乃至は画像被提供者が分類してもよいし、また除いてもよい。S4で画像提供者乃至は画像被提供者のホームページにアクセスできる例えばＱＲコード（商標登録）のような二次元コード３を付加する。ＱＲコードでなくてもカラーコードでもよい。
【００１５】
次にＳ５で示すように画像提供者乃至は画像被提供者が二次元コード３を通信可能なカメラ、例えば携帯電話で読み取ってインターネットによりサーバと通信すると、Ｓ６で示すように画像提供者乃至は画像被提供者のホームページに接続される。前記ホームページは、画像管理元のホームページを介した提供者乃至は被提供者のホームページであっても良い。
【００１６】
Ｓ７、S８、Ｓ９で示すように、画像提供者乃至は画像被提供者の個人情報に変化がなければ、画像提供者乃至は被提供者のホームページに記憶されている広告等情報元のホームページにアクセスすると例えば広告等情報２よりも詳細な情報乃至は関連した情報であるS９情報Ａが表示される。
【００１７】
Ｓ７、Ｓ１０，Ｓ１１で示すように、画像提供者乃至は画像被提供者の個人情報乃至は画像分類情報に変化があれば、画像提供者乃至は被提供者のホームページに記憶されている広告等情報元のホームページにアクセスすると、その変化した個人情報と、情報元要望情報と、画像分類情報等に基づいて情報ＡからS１０で示す情報Ｂに切り換えられて表示される。さらに個人情報が変化するとS１１は情報Ｃ、情報Ｄに切り替わる。また、S９、S１１で示すように広告等情報元ホームページを切り替えるだけでなく、前記画像提供者乃至は被提供者のホームページ上に記憶されている広告等情報を切り替えてもよい。
【００１８】
図３は二次元コード、例えばＱＲコードを読み取る図を示す。二次元コード３を２１で示す通信機能付きカメラ、またはカメラ付き携帯電話で読み取って２２で示すインターネットにつなぎ画像提供者乃至は被提供者のホームページ４につなぐ。ホームページ４にある広告等情報主のアドレス４をクリックすると、２３で示す広告等情報主のコンテンツサーバーに接続し、９で示す情報Ａを示し、画像提供者乃至は被提供者の個人情報の変化により１０で示す情報Ｂが通信機能付きカメラまたはカメラ付き携帯電話２１のディスプレイに表示される。
【００１９】
これまで個人情報の変化について述べたが、画像分類情報の変化の際も同様に情報が切り換えてもよいことは言うまでもない。  
【図面の簡単な説明】
【００２０】
【図１】本発明のブロック図を示す。
【図２】本発明のフローチャートを示す。
【図３】本発明に係る二次元コードを読み取る図を示す。
【符号の説明】
【００２１】
１    画像
２    広告等情報
３    二次元コード
４    ホームページ
５    個人情報記憶部
６    情報元要望情報記憶部
７    画像分類情報記憶部
８    情報元ホームページ記憶部
９    情報Ａ
１０  情報Ｂ
２１  通信機能付きカメラ
２２  インターネット
２３  広告主等情報主のコンテンツサーバー
【図１】
2008216701.tif 000003
【図２】
2008216701.tif 000004
【図３】
2008216701.tif 000005